(57)【特許請求の範囲】
【請求項１】
面発光を行なう表示面上で、特定の文字図柄などの特定表示部を点灯表示する遊技機の電飾装置であって、
ケースの前面に配置され、透明板全体に光拡散層を設けて面発光を行なう光拡散板と、
該光拡散板に対し接近又は離間するように移動可能に該ケース内に配設され、基板上に設けた複数の発光器の前面に、前記特定表示部の形状に形成された導光体の特定表示体を配置した特定表示体ユニットと、
該特定表示体ユニットを該光拡散板に対し接近又は離間するように移動させる移動駆動機構と、
該特定表示体ユニットの周辺に配置され、基板上に複数の発光器を設けた周辺発光部と、
を備え、
前記特定表示体ユニットは発光器を取り付けた基板と共にベースに取り付けられ、該ベースには移動をガイドするガイド部が設けられ、前記ケースに取り付けられる表示体表示装置に設けられたガイドロッドに、該ガイド部を係合させて該ベースが取り付けられたことを特徴とする遊技機の電飾装置。
【請求項２】
面発光を行なう表示面上で、特定の文字図柄などの特定表示部を点灯表示する遊技機の電飾装置であって、
ケースの前面に配置され、透明板全体に光拡散層を設けて面発光を行なう光拡散板と、
該光拡散板に対し接近又は離間するように移動可能に該ケース内に配設され、基板上に設けた複数の発光器の前面に、前記特定表示部の形状に形成された導光体の特定表示体を配置した特定表示体ユニットと、
該特定表示体ユニットを該光拡散板に対し接近又は離間するように移動させる移動駆動機構と、
を備え、
前記特定表示体ユニットは発光器を取り付けた基板と共にベースに取り付けられ、該ベースには移動をガイドするガイド部が設けられ、前記ケースに取り付けられる表示体表示装置に設けられたガイドロッドに、該ガイド部を係合させて該ベースが取り付けられ、
該特定表示体ユニットの発光器の基板は、該特定表示体の前面形状より広い面積を持って形成され、該複数の発光器が該基板上の略全体に分布して配置されたことを特徴とする遊技機の電飾装置。
【請求項３】
前記光拡散板は、透明板の背面に光拡散フィルムを接着して形成され、前記ケースの前面開口部を覆って配設されたことを特徴とする請求項１又は２記載の遊技機の電飾装置。
【請求項４】
前記ケースの背面部に開口部が形成され、前記特定表示体ユニットは該ケースの背面側に配設され且つ該開口部を通り前記光拡散板に対し接近可能に装着されたことを特徴とする請求項１、２、３の何れかに記載の遊技機の電飾装置。
【請求項５】
前記移動駆動機構は、モータと、該モータの回転により駆動される往復平行移動機構とを備え、該モータは前記表示体表示装置に取り付けたことを特徴とする請求項１または２記載の遊技機の電飾装置。
【請求項６】
前記往復平行移動機構は、前記モータによって回転駆動される偏心ピン付きの円板と、該偏心ピンが係合し前記ベースに取り付けられた係合フレームとを含むことを特徴とする請求項５記載の遊技機の電飾装置。
【発明の詳細な説明】
【技術分野】
【０００１】
本発明は、遊技機の遊技盤上に装着される電飾装置に関し、特に面発光を行なう電飾表示面上で、文字符合などの特定表示部を、必要に応じて美しく発光表示することができる電飾装置に関する。
【背景技術】
【０００２】
従来、パチンコ遊技機の遊技盤上には、各種の電飾装置が装着され、各種の形状の表示部が各種の表示色で表示される。通常、この種の電飾装置には、ランプを装着したランプ基板の前面に、各種の形状と図形、文字、符合、絵柄などを有した透光性着色カバーが配設され、その透光性着色カバーがランプの背面照明により、各種の表示色で点灯表示される。
【０００３】
例えば、下記特許文献１には、取付基板の前面に、仕切り壁によって仕切られた領域の各々にランプが配置され、それらのランプの前面の各領域に色彩の異なるランプカバーが取り付けられてなる電飾装置が記載され、ランプの点灯によりランプから照射された光がそれらのランプカバーを通して前面に照射され、ランプカバーが各々特定の色彩で点灯表示される。
【特許文献１】実開平６−２６９７５号公報
【発明の開示】
【発明が解決しようとする課題】
【０００４】
しかし、従来のこのような電飾装置は、点灯表示部が仕切り壁により仕切られ、各仕切り壁によって区画された着色ランプカバーが点灯表示されるが、例えば大当り発生時などの特定状況時、例えば赤色のランプカバーの部分が点灯表示されるように、単純に表示されるのみであるため、点灯表示部の表示が単純となり、遊技状態に応じた図形、文字などを美しく点灯表示することができない。
【０００５】
また、点灯表示領域を形成するための仕切り壁が点灯表示部の内側に位置するため、この仕切り壁の前端面が影として現れ、美しい点灯表示が阻害される問題があった。
【０００６】
本発明は、上述の課題を解決するものであり、面発光を行なう表示面上で、必要に応じて、特定の図形、文字、符号などを、美しく点灯表示することができる遊技機の電飾装置を提供することを目的とする。
【課題を解決するための手段】
【０００７】
本発明に係る第１の発明の電飾装置は、面発光を行なう表示面上で、特定の文字図柄などの特定表示部を点灯表示する遊技機の電飾装置であって、ケースの前面に配置され、透明板全体に光拡散層を設けて面発光を行なう光拡散板と、該光拡散板に対し接近又は離間するように移動可能に該ケース内に配設され、基板上に設けた複数の発光器の前面に、前記特定表示部の形状に形成された導光体の特定表示体を配置した特定表示体ユニットと、該特定表示体ユニットを該光拡散板に対し接近又は離間するように移動させる移動駆動機構と、該特定表示体ユニットの周辺に配置され、基板上に複数の発光器を設けた周辺発光部と、を備え、前記特定表示体ユニットは発光器を取り付けた基板と共にベースに取り付けられ、該ベースには移動をガイドするガイド部が設けられ、前記ケースに取り付けられる表示体表示装置に設けられたガイドロッドに、該ガイド部を係合させて該ベースが取り付けられたことを特徴とする。
【０００８】
さらに、第２の発明の電飾装置は、面発光を行なう表示面上で、特定の文字図柄などの特定表示部を点灯表示する遊技機の電飾装置であって、ケースの前面に配置され、透明板全体に光拡散層を設けて面発光を行なう光拡散板と、該光拡散板に対し接近又は離間するように移動可能に該ケース内に配設され、基板上に設けた複数の発光器の前面に、前記特定表示部の形状に形成された導光体の特定表示体を配置した特定表示体ユニットと、該特定表示体ユニットを該光拡散板に対し接近又は離間するように移動させる移動駆動機構と、を備え、前記特定表示体ユニットは発光器を取り付けた基板と共にベースに取り付けられ、該ベースには移動をガイドするガイド部が設けられ、前記ケースに取り付けられる表示体表示装置に設けられたガイドロッドに、該ガイド部を係合させて該ベースが取り付けられ、該特定表示体ユニットの発光器の基板は、該特定表示体の前面形状より広い面積を持って形成され、該複数の発光器が該基板上の略全体に分布して配置されたことを特徴とする。
【００１０】
ここで、上記第１，２の発明における光拡散板は、透明板の背面に光拡散フィルムを接着して形成され、前記ケースの前面開口部を覆って配設することができる。
【００１２】
また、上記ケースにおいては、その背面部に開口部が形成され、前記特定表示体ユニットは該ケースの背面側に配設され且つ該開口部を通り前記光拡散板に対し接近可能に装着することができる。
【００１４】
また、上記移動駆動機構は、モータと、該モータの回転により駆動される往復平行移動機構とを備え、該モータは前記表示体表示装置に取り付けることができる。
【００１５】
また、上記往復平行移動機構は、モータによって回転駆動される偏心ピン付きの円板と、該偏心ピンが係合し前記ベースに取り付けられた係合フレームとを含んで構成することができる。
【発明の効果】
【００１６】
上記第１，２の発明の電飾装置では、周辺発光部と特定表示体ユニットの発光器或いは特定表示体ユニットの発光器が発光すると、ケース内に光が照射され、ケース内の光は、正面の光拡散板により光を拡散してそこを透過し、前面に放射される。このとき、特定表示体ユニットの発光器から照射された光は、導光体の特定表示体に導光されて特定表示体の前面からケース内に放射されるが、特定表示体が光拡散板から離間している場合、特定表示体から照射された光は周辺発光部などから照射された光と混合して光拡散板を拡散透過し前方に放射されるため、ケース前面の光拡散板の表示面は、均一に発光表示される。例えば、電飾装置のケースの前面がデザインされた意匠形状となっている場合、その意匠形状全体が均一に輝くように表示される。
【００１７】
一方、周辺発光部と特定表示体ユニットの発光器或いは特定表示体ユニットの発光器が発光動作する状態で、移動駆動機構が作動し、特定表示体ユニットがケース内を前方に移動し、特定表示体の前面が光拡散板に接近すると、特定表示体ユニットの発光器から照射され導光体の特定表示体を導光された光は、僅かな距離の空間を経てそのまま光拡散板を拡散透過して前面に放射される。
【００１８】
このため、電飾装置のデザインされたケース前面が均一に輝くように表示される表示面のなかで、特定表示体の前面がその輝度を増大させて表示され、例えば特定表示体の前面が文字状に形成される場合、輝くように表示される表示面のなかで特定表示体の文字を、さらに浮かび上がるように輝き、美しく表示することができる。また、従来のように特定表示ユニット内に仕切り壁がないため、仕切り壁が影となって表示面に現われることはなく、面発光を行なう表示面上で特定表示体をさらに高い輝度で美しく表示することができる。
【発明を実施するための最良の形態】
【００２１】
以下、本発明の実施形態を図面に基づいて説明する。図１〜図１５は第１実施形態の電飾装置を示しており、図１はその正面図を、図２はその要部縦断面図を、図３はその斜視図を示し、さらに図４はその分解斜視図を示している。
【００２２】
この電飾装置は、遊技機の遊技盤上に装着され、発光器を点灯して使用される装置であり、基本的には、ケースと、ケース１の前面に配置され、透光板全体に光拡散層を配置して面発光を行なう光拡散板９と、ケース１内の背面側に、光拡散板９に対し接近又は離間するように移動可能に配設され、基板３２上に配置した複数の発光器３３の前面に、特定表示部の形状に形成された透明導光体の特定表示体３６を配置してなる特定表示体ユニット３と、特定表示体ユニット３を光拡散板９に対し接近又は離間するように移動させる移動駆動機構７と、ケース１内の背面側に固定配置され、基板２１上に複数の発光器２２を配置して形成された周辺発光部２と、を備えて構成される。図４に示すように、表示体表示装置６は、特定表示体ユニット３と移動駆動機構７を含む部材から構成され、ケース１の背面に表示体表示装置６は取り付けられる。
【００２３】
ケース１は、図４のように、例えば人の横顔をイメージにした意匠形状に形成され、周縁部が周壁部１４によって囲まれた内側に、ケース内空間１１が形成される。また、ケース１の背面壁に、円形の背面開口部１２が形成され、この背面開口部１２には図１０に示すような特定表示体ユニット３が、その前面をケース内空間１１に出し入れ可能な状態で挿通される。特定表示体ユニット３はケース１の厚さ方向に移動駆動機構７によって移動するように取り付けられ、周壁部１４の外側に一部には、装飾部１３が設けられる。また、周壁部１４の内側とケース１の背面壁の内側は、白色系塗料（白色塗料のほか、アイボリー、ベージュなどを含む塗料）が塗布され、ケース内空間１１内に照射された光を壁面で反射するようにしている。
【００２４】
ケース１の前面には光拡散板９がその前面開口部全体を覆うように取り付けられる。光拡散板９は、透明アクリル樹脂板などの透明板９１の背面に、光拡散層となる光拡散フィルム９２を接着して構成され、人の横顔をイメージにした意匠形状とされる。光拡散フィルム９２は透明フィルムの表面に光を拡散する微細な光拡散物質を散在させて形成され、背面からの光を拡散して前面に透過させるように作用する。
【００２５】
一方、ケース１内の背面壁の周縁部つまり背面開口部１２を囲う部分に、図４のように、周辺発光部２が固定配置される。周辺発光部２は、基板２１上に複数の発光器（発光ダイオード、ランプなどの光源）２２を適度な間隔で実装して構成され、ケース１の前面つまり光拡散板９に向けて光を照射する。
【００２６】
上記のように、ケース１の背面に表示体表示装置６がその前ケース５を取着するように取り付けられ、表示体表示装置６の特定表示体ユニット３は、ケース１の背面開口部１２に挿通可能な位置に配置される。表示体表示装置６は、図６，７、９などに示すように、後ケース４と前ケース５を３本のガイドロッド６１により連結し、後ケース４の一部に移動駆動機構７の減速機付きのモータ７１を取り付けている。また、表示体表示装置６は、後ケース４と前ケース５の間に、特定表示体ユニット３を３本のガイドロッド６１によって移動可能に支持し、そのガイド動作により、前後方向に特定表示体ユニット３を往復平行移動させる構造となっている。
【００２７】
前ケース５には特定表示体ユニット３を挿通させるための表示体挿通孔５１が図７，９のように形成され、後ケース４には特定表示体ユニット３の原点位置復帰を検出するための位置センサ６２（図９）が設けられる。位置センサ６２は、移動駆動機構７の駆動により特定表示体ユニット３が原点位置に戻ったとき、それを検出して検出信号を出力する。なお、特定表示体ユニット３がその前進端まで移動したときのモータ７１の停止制御は、例えばタイマーによる時限制御によって行うことができる。
【００２８】
特定表示体ユニット３は、図９に示すように、略円筒状のベース３１の前面に、複数の発光器３３を実装した基板３２を取り付け、その発光器付き基板３２の前面に透明保護カバー３４を介して特定表示体３６を取り付け、その前面を透明前カバー３７により包囲して構成される。図２、１３に示すように、ベース３１の背面には、係合長孔３１ｃを設けた係合フレーム３１ｂが取り付けられ、その係合フレーム３１ｂの係合長孔３１ｃに、移動駆動機構７の偏心ピン７３が係合している。
【００２９】
移動駆動機構７は、減速機付きのモータ７１を備え、その回転軸に偏心ピン７３付きの円板７２が固定され、モータ７１の回転駆動により円板７２が低速で回転し、偏心ピン７３が円軌跡上を移動する。この偏心ピン７３が、ベース３１の背面に取り付けられた係合フレーム３１ｂの係合長孔３１ｃに、係合して回転移動することにより、回転動が前後動に変換され、ベース３１つまり特定表示体ユニット３がガイドロッド６１に沿ってつまり前後方向に移動する。
【００３０】
特定表示体ユニット３は、図９に示すように、背面にバックライト光源となる発光器（発光ダイオード、ランプなど）３３を備え、発光器３３の前側に特定表示体３６を配置して構成される。特定表示体３６は、例えば「寿」の文字を形採った導光体からなる透明文字部３６ｂを透明板３６ａ上に取着して形成され、導光体の透明文字部３６ｂの正面が「寿」の文字形状とされる。ここでは、透明文字部３６ｂの正面形状を「寿」の文字形状としたが、特定表示体３６の前面形状は、勿論、他の文字、符合、絵柄、図形、キャラクターなど任意の形状とすることができる。
【００３１】
特定表示体３６の周囲の側面には、白色系塗料が塗布され、背面から入射した光を効率良く前面に導光し放射可能としている。また、光源の基板３２には複数の発光器３３が電流制限用の抵抗と共に実装されるが、複数の発光器３３は特定表示体３６の透明文字部３６ｂの背面に配置され、主に「寿」の文字の真後ろから、特定表示体３６の透明文字部３６ｂに光を入射させ、その前面から効率良く光を放射するようにしている。
【００３２】
さらに、図９に示す如く、基板３２上には発光器３３の保護にために透明保護カバー３４が装着され、その透明保護カバー３４と特定表示体３６の間に、光拡散板３５が配置されている。
【００３３】
なお、この光拡散板３５は発光器３３からの光を拡散して均一なバックライトを特定表示体３６に入射させるように配置されるが、この光拡散板３５を設けずに、発光器３３からの光を拡散させずに直接、特定表示体３６に入射させるようにしてもよい。
【００３４】
また、基板３２には複数の発光器３３を特定表示体３６の透明文字部３６ｂの背面にのみ配置したが、光拡散板３５を設けてバックライトとしての光を拡散させる場合、複数の発光器３３を円形の基板３２の全体に分布させて配置することもできる。
【００３５】
上記のように構成される電飾装置は、図示しない遊技機の遊技盤上に取り付けられて使用される。ケース１の前面の表示面は、通常時、発光器２２，３３の点灯により図１の如く均一に光る表示面として点灯表示され、大当りなどの特別遊技状態の際には、その表示面内に図１４のように、「寿」の文字が、周囲の表示面から浮かび上がるように、より高い輝度で表示される。
【００３６】
すなわち、通常時は、図２、図８（ａ）、図１３（ｂ）のように、特定表示体ユニット３がケース１内の後部（奥）に位置し、ケース１内の周辺発光部２の発光器２２と特定表示体ユニット３の発光器３３が点灯発光するため、各発光器２２，３３からの放射光は、ケース内空間１１内を混合しながら前方に進み、光拡散フィルム９２に当たり、そこで拡散されつつ光拡散板９を透過し前方に放射される。したがって、通常時は、図１に示すように、ケース１前面の横顔イメージの意匠表示面が、均一に輝くように表示され、例えば、発光器２２，３３に赤色発光ダイオードが使用される場合、赤色光が光拡散粒子に当たって拡散しながら、光拡散フィルム９２を透過することにより、多数の光拡散粒子がピンク色となって輝くように発光表示される。
【００３７】
一方、大当りなどの特定遊技状態時には、モータ７１が作動し、円板７２が図１３（ａ）のように回転することにより、移動駆動機構７を介して、特定表示体ユニット３が表示体表示装置６内を前方に移動し、図１５のように、特定表示体ユニット３がケース１の前面の光拡散板９に接近する。
【００３８】
このとき、特定表示体ユニット３内では、発光器３３から放射された光が導光体の特定表示体３６に導入され、その前面から前方に放射されているが、特定表示体ユニット３の光拡散板９への接近によって特定表示体３６の前面が光拡散板９に接近し、特定表示体３６の前面と光拡散板９との間の空間が狭まる。このとき、発光器３３から放射され、導光体の特定表示体３６を通して放射される光は周辺部の空間を通る光に比べ、効率良く前方に導かれ、僅かの距離の空間を経て光拡散板９に入射することとなる。このため、特定表示体３６の前面形状である「寿」の文字の部分が、均一に点灯表示される周辺部分より、さらに高い輝度で輝いて表示され、よりインパクトのある「寿」の文字が観者に対し高い輝度で表示される。
【００３９】
そして、遊技機が通常状態に戻り、モータ７１が復帰動作すると、円板７２が図１３（ｂ）のように回転し、移動駆動機構７を介して、特定表示体ユニット３が表示体表示装置６内を後方に移動し、図２のように、特定表示体ユニット３がケース１前面の光拡散板９から離れる。
【００４０】
この状態になると、上記のように、ケース１内の周辺発光部２の発光器２２と特定表示体ユニット３の発光器３３からの放射光は、ケース内空間１１内を混合しながら前方に進み、光拡散フィルム９２に当たって拡散されて透過し、前方に放射されるから、特定表示体ユニット３が前方に移動した時のように、特定表示体３６の前面形状が高い輝度で表示されることはなく、図１に示すように、ケース１前面の横顔イメージの意匠表示面が、均一に輝くように表示される状態に戻る。
【００４１】
また、仮に特定表示体ユニット３の発光器３３が消灯し、周辺発光部２の発光器２２のみが点灯する状態となっても、影のように暗い部分は生じず、ケース１の表示面を美しく表示することができる。
【００４２】
このように、ケース１内における周辺発光部２の発光器２２と特定表示体ユニット３の発光器３３が発光動作する状態で、移動駆動機構７が作動し、特定表示体ユニット３がケース１内を前方に移動し、特定表示体３６の前面が光拡散板９に接近すると、特定表示体ユニット３の発光器３３から照射され導光体の特定表示体３６を導光された光は、僅かな距離の空間を経てそのまま光拡散板９を拡散透過して前面に放射されるから、電飾装置のデザインされたケース前面が均一に輝くように表示される表示面のなかで、特定表示体３６の前面がその輝度を増大させて表示され、特定表示体３６を浮かび上がるように輝かせ、美しく表示することができる。
【００４３】
図１６〜図１９は第２実施形態の電飾装置を示している。この実施形態では、ケース１０１の前面形状がより小型に形成され、上記周辺発光部を使用せずに、特定表示体ユニット３の発光器１３３の点灯のみで、電飾装置のケース前面を点灯表示するようにしている。図１６〜図１９において、上記実施形態と同様な部材については上記と同一の符合を付し、その説明は省略する。
【００４４】
ケース１０１は、図１７のように、表示体表示装置６の前ケース５と同じ程度の大きさの円形に形成され、周縁部が周壁部１１４によって囲まれた内側に、ケース内空間１１１が形成される。ケース１０１の背面壁に、円形の背面開口部１１２が形成され、この背面開口部１１２の背面側には、図１８に示すような特定表示体ユニット３が、その前面をケース内空間１１１に挿通可能に取り付けられる。ケース１０１の背面に取り付けられた表示体表示装置６の特定表示体ユニット３は、ケース１０１の厚さ方向に移動駆動機構７によって移動する構造となっている。周壁部１１４の内側とケース１０１の背面壁の内側は、白色系塗料が塗布され、ケース内空間１１１内に照射された光を壁面で反射するようにしている。
【００４５】
ケース１０１の前面には光拡散板１０９がその前面開口部全体を覆うように取り付けられる。光拡散板１０９は、透明アクリル樹脂板などの透明板１９１の背面に、光拡散層となる光拡散フィルム１９２を接着して構成される。光拡散フィルム１９２は透明フィルムの表面に光を拡散する微細な光拡散物質を散在させて形成され、背面からの光を拡散して前面に透過させるように作用する。
【００４６】
図１７に示すように、ケース１０１の背面に表示体表示装置６がその前ケース５を取着するように取り付けられ、表示体表示装置６の特定表示体ユニット３は、ケース１０１の背面開口部１１２に挿通可能な位置に配置される。表示体表示装置６は、後ケース４と前ケース５を３本のガイドロッド６１により連結し、後ケース４の一部に移動駆動機構７の減速機付きのモータ７１を取り付けている。また、表示体表示装置６は、後ケース４と前ケース５の間に、特定表示体ユニット３を３本のガイドロッド６１によって移動可能に支持し、そのガイド動作により、前後方向に特定表示体ユニット３を往復平行移動させる。
【００４７】
特定表示体ユニット３は、図１８に示すように、略円筒状のベース３１の前面に、複数の発光器３３を実装した基板３２を取り付け、その発光器付き基板３２の前面に透明保護カバー３４を介して特定表示体３６を取り付け、その前面を透明前カバー３７により包囲して構成される。ベース３１の背面には、係合長孔３１ｃを設けた係合フレーム３１ｂが取り付けられ、その係合フレーム３１ｂの係合長孔３１ｃに、移動駆動機構７の偏心ピン７３が係合している。
【００４８】
特定表示体ユニット３は、図１８に示すように、背面にバックライト光源となる発光器１３３を備え、発光器１３３の前側に特定表示体３６を配置して構成される。特定表示体３６は、「寿」の文字を形採った導光体からなる透明文字部３６ｂを、それより少し大きい略円形の透明板３６ａ上に取着して形成され、導光体の透明文字部３６ｂの正面が「寿」の文字形状とされる。
【００４９】
特定表示体３６の周囲の側面には、白色系塗料が塗布され、背面から入射した光を効率良く前面に導光し放射可能としている。光源となる発光器１３３付きの基板１３２は、上記透明板３６ａと略同じ大きさの円形に形成され、複数の発光器１３３はその基板１３２つまり透明板３６ａの全体平面に分布して配置される。複数の発光器１３３から放射された光はその一部が透明文字部３６ｂに入射し、その一部が透明文字部３６ｂの周縁部（円形の透明板３６ａの周縁部）に入射する構造である。さらに、基板１３２上には発光器１３３の保護にために透明保護カバー３４が装着される。なお、上記実施形態で使用された透明保護カバー３４と特定表示体３６間の光拡散板３５は、ここでは使用されない。
【００５０】
上記構成の電飾装置は、通常時、図１６に示すように、特定表示体ユニット３がケース１０１内の後部（奥）に位置し、ケース１０１内の特定表示体ユニット３の発光器１３３が点灯発光するため、各発光器１３３からの放射光は、透明板３６ａ及び導光体の特定表示体３６を通り、さらにケース内空間１１１内を前方に進み、光拡散フィルム１９２に当たり、そこで拡散されつつ光拡散板１０９を透過し前方に放射される。
【００５１】
したがって、通常時は、図１６（ａ）に示すように、特定表示体ユニット３がケース１０１内の後部（奥）に位置し、光拡散板１０９と特定表示体ユニット３の特定表示体３６前面間の距離が離れているため、ケース１０１前面の円形表示面が、均一に輝くように表示される。
【００５２】
一方、大当りなどの特定遊技状態時、移動駆動機構７のモータ７１が作動し、特定表示体ユニット３が表示体表示装置６内を前方に移動し、特定表示体ユニット３が図１９（ｂ）のように、ケース１０１の前面の光拡散板１０９に接近する。
【００５３】
このとき、特定表示体ユニット３内では、発光器１３３から放射された光が導光体の特定表示体３６に導入され、その前面から前方に放射されているが、特定表示体ユニット３の光拡散板１０９への接近によって特定表示体３６の透明文字部３６ｂの前面が光拡散板１０９に接近し、特定表示体３６の透明文字部３６ｂの前面と光拡散板１０９との間の空間が狭まる。このとき、発光器１３３から放射され、導光体の透明文字部３６ｂを通して放射される光は周辺部の透明板３６ａを通る光に比べ、効率良く前方に導かれ、僅かの距離の空間を経て光拡散板１０９に入射することとなる。このため、透明文字部３６ｂの前面形状である「寿」の文字の部分が、図１９（ａ）に示すように、均一に点灯表示される周辺部分より、さらに高い輝度で輝いて表示され、「寿」の文字が浮かび上がるように高い輝度で美しく表示される。
【００５４】
このように、特定表示体ユニット３の特定表示体３６の背面に配置した複数の発光器１３３のみの点灯によっても、ケース前面が均一に輝くように表示される表示面において、特定表示体３６の透明文字部３６ｂの前面がその輝度を増大させて表示され、透明文字部３６ｂ前面の文字を、美しく浮かび上がるように表示することができる。
【００５５】
図２０、図２１は第３実施形態の電飾装置を示している。この実施形態では、特定表示体ユニット３０が、基板上に設けた複数の発光器４３の前面に、文字など特定表示部の形状に形成された導光体の特定表示体を配置し、その前面を透明前カバー４７により覆って形成され、その特定表示ユニット３０は、固定支持部材４５を介して固定部（遊技盤４９）に固定される。
【００５６】
一方、特定表示体ユニット３０の前面側に、光拡散板２０９が特定表示体ユニット３０に対し接近又は離間するように移動可能に配設される。光拡散板２０９は透明プラスチック板の内側に光拡散フィルムを接着して形成され、内ケース２０１の前面を覆って取り付けられ、特定表示体ユニット３０及び周辺発光部２０から放射された光を受けて光を拡散し、面発光を行なう。内ケース２０１の前面の光拡散板２０９は、上記と同様に例えば横顔イメージの意匠表示面として形成され、その意匠表示面が、主に周辺発光部２０の発光器２２２から放射された光を受け、光を拡散して均一に輝くように表示される。
【００５７】
特定表示体ユニット３０は、上記と同様に、背面に光源となる発光器（発光ダイオード、ランプなど）４３を備え、発光器４３の前側に特定表示体を配置して構成される。特定表示体は、例えば「寿」の文字を形採った導光体からなる透明文字部を透明板上に取着して形成され、導光体の透明文字部の正面が「寿」の文字形状とされる。
【００５８】
特定表示体の周囲の側面には、白色系塗料が塗布され、背面から入射した光を効率良く前面に導光し放射可能としている。また、光源の基板には複数の発光器４３が電流制限用の抵抗と共に実装されるが、複数の発光器４３は特定表示体の透明文字部の背面に配置され、主に「寿」の文字の真後ろから、特定表示体の透明文字部に光を入射させ、その前面から効率良く光を放射するようにしている。
【００５９】
遊技盤４９の背面側に複数の固定支持部材４５が固定され、それらの固定支持部材４５に特定表示体ユニット３０のベース４１が固定され、特定表示体ユニット３０は固定的に取り付けられる。さらに、固定支持部材４５の背面側に、取付ブラケット４６を介して移動駆動機構８のモータ８１が取り付けられる。移動駆動機構８は、モータ８１の回転駆動により、円板８２を回転させ、円板８２上に偏倚して突設した偏心ピンを係合フレーム８３に係合させている。
【００６０】
係合フレーム８３は取付板４４に固定され、垂直姿勢の取付板４４には複数の摺動ロッド４２が水平に固定され、複数の摺動ロッド４２の先端は、内ケース２０１内に固定される。更に、複数の摺動ロッド４２の中間部は特定表示体ユニット３０のベース４１に突設された複数のガイド部４１ａに摺動可能に支持されている。
【００６１】
これにより、移動駆動機構８のモータ８１を回転駆動し、円板８２が回転すると、円板８２上に偏倚して突設した偏心ピンが係合フレーム８３に作用し、取付板４４を介して複数の摺動ロッド４２を軸方向（前後方向）に移動させ、摺動ロッド４２の先端に固定された内ケース２０１を、光拡散板２０９と共に特定表示体ユニット３０に対し接近又は離間させる（前後に移動させる）構造となっている。
【００６２】
内ケース２０１の内側で特定表示体ユニット３０の周辺には、基板２２１上に複数の発光器２２２を設けた周辺発光部２０が配設され、この周辺発光部２０は光拡散板２０９と共に特定表示体ユニット３０に対し移動する構造である。内ケース２０１の光拡散板２０９を含む前面は、透明カバー４８により覆われ、透明カバー４８の周縁部は遊技盤４９に固定されている。
【００６３】
次に、上記構成の電飾装置の動作を説明すると、通常時は、図２０のように、内ケース２０１の光拡散板２０９は、特定表示体ユニット３０から前方に離隔しており、このとき、内ケース２０１内の周辺発光部２０の発光器２２２と特定表示体ユニット３０の発光器４３が点灯発光すると、各発光器２２２，４３からの放射光は、内ケース２０１内の空間を混合しながら前方に進み、光拡散板２０９に当たり、そこで拡散されつつ透過し前方に放射される。
【００６４】
したがって、通常時は、内ケース２０１前面の横顔イメージの意匠表示面が、均一に輝くように表示され、例えば、発光器２２２，４３に赤色発光ダイオードが使用される場合、赤色光が光拡散粒子に当たって拡散しながら、光拡散板２０９を透過することにより、多数の光拡散粒子がピンク色となって輝くように発光表示される。
【００６５】
一方、大当りなどの特定遊技状態時に、移動駆動機構８のモータ８１が起動すると、円板８２が回転して、内ケース２０１が後方に移動する。これにより、図２１のように、内ケース２０１前面の光拡散板２０９が特定表示体ユニット３０に接近する。
【００６６】
このとき、特定表示体ユニット３０内では、発光器４３から放射された光が導光体の特定表示体に導入され、その前面から前方に放射されているが、特定表示体ユニット３０の光拡散板２０９への接近によって特定表示体の前面が光拡散板２０９に接近し、特定表示体の前面と光拡散板２０９との間の空間が狭まる。このとき、発光器４３から放射され、導光体の特定表示体を通して放射される光は周辺発光部２０から空間に放射される光に比べ、効率良く前方に導かれ、僅かの距離の空間を経て光拡散板２０９に入射することとなる。このため、特定表示体の前面形状である「寿」の文字の部分が、均一に点灯表示される周辺部分より、さらに高い輝度で輝いて表示され、よりインパクトのある「寿」の文字が観者に対し高い輝度で表示される。
【００６７】
このように、発光器４３及び特定表示体を含む特定表示体ユニット３０を固定し、光拡散板２０９を含む内ケース２０１を特定表示体ユニット３０に対し前後に移動させ、光拡散板２０９を特定表示体ユニット３０の前面に接近させることによっても、内ケース２０１の前面の光拡散板２０９が均一に輝くように表示される表示面において、特定表示体の前面がその輝度を増大させて表示され、前面の文字などを、美しく浮かび上がるように表示することができる。
【図面の簡単な説明】
【００６８】
【図１】本発明の第１実施形態を示す電飾装置の正面図である。
【図２】同電飾装置の縦断面図である。
【図３】同電飾装置の斜視図である。
【図４】同電飾装置の分解斜視図である。
【図５】同電飾装置の光拡散板を外した状態の分解斜視図である。
【図６】表示体表示装置の正面図である。
【図７】表示体表示装置の斜視図である。
【図８】（ａ）は表示体表示装置の特定表示体ユニットを後退させた状態の右側面図、（ｂ）は同特定表示体ユニットを前進させた状態の右側面図である。
【図９】表示体表示装置の分解斜視図である。
【図１０】特定表示体ユニットと移動駆動機構の斜視図である。
【図１１】特定表示体ユニットの斜視図である。
【図１２】表示体表示装置の前ケースを外した状態の斜視図である。
【図１３】特定表示体ユニットを移動駆動機構７により移動させる際の動作説明図であり、（ａ）は特定表示体ユニットを前進させた際の動作説明図、（ｂ）は特定表示体ユニットを後退させた際の動作説明である。
【図１４】特定表示体ユニットを前進させ、特定表示体を表示させた状態の装置の正面図である。
【図１５】特定表示体ユニットを前進させ、特定表示体を表示させた状態の装置の断面図である。
【図１６】第２実施形態の電飾装置を示し、（ａ）は特定表示体ユニットを後退させた状態の電飾装置の正面図、（ｂ）は同電飾装置の縦断面図である。
【図１７】同電飾装置の光拡散板を外した状態の分解斜視図である。
【図１８】同電飾装置の表示体表示装置の分解斜視図である。
【図１９】（ａ）は特定表示体ユニットを前進させた状態の電飾装置の正面図、（ｂ）は同電飾装置の縦断面図である。
【図２０】第３実施形態の電飾装置を示し、光拡散板を特定表示ユニットから離隔した状態の縦断面図である。
【図２１】同電飾装置の光拡散板を特定表示ユニットに接近させた状態の縦断面図である。
【符号の説明】
【００６９】
１      ケース
２      周辺発光部
３      特定表示体ユニット
６      表示体表示装置
７      移動駆動機構
９      光拡散板
１１    ケース内空間
１２    背面開口部
１４    周壁部
２１    基板
２２    発光器
３１    ベース
３２    基板
３３    発光器
３５    光拡散板
３６    特定表示体
３６ａ  透明板
３６ｂ  透明文字部
７１    モータ
【図１】
0004733087.tif 000002
【図２】
0004733087.tif 000003
【図３】
0004733087.tif 000004
【図４】
0004733087.tif 000005
【図５】
0004733087.tif 000006
【図６】
0004733087.tif 000007
【図７】
0004733087.tif 000008
【図８】
0004733087.tif 000009
【図９】
0004733087.tif 000010
【図１０】
0004733087.tif 000011
【図１１】
0004733087.tif 000012
【図１２】
0004733087.tif 000013
【図１３】
0004733087.tif 000014
【図１４】
0004733087.tif 000015
【図１５】
0004733087.tif 000016
【図１６】
0004733087.tif 000017
【図１７】
0004733087.tif 000018
【図１８】
0004733087.tif 000019
【図１９】
0004733087.tif 000020
【図２０】
0004733087.tif 000021
【図２１】
0004733087.tif 000022